(57)【要約】【解決課題】  閉扉側付近における閉め忘れ状態をなくすことができ、既製の引き戸にその施工後においても取り付け可能で、小型化できる引き戸の引き込み装置を提供すること。【解決手段】  枠体に取り付けられた係止部材と、引き戸の開閉方向で変位可能とされたスライド部材と、引き戸に取り付けられスライド部材を支持するガイド部材と、引き戸に取り付けられ、スライド部材に係合し回転される回転部材を有し、その回転によってバネ付勢力を蓄勢しスライド部材を引き戸の開き方向に付勢するバネ力蓄勢装置と、スライド部材に回転可能に取り付けられ、係止部材に係合する一対の係合エレメントからなる係合部を有するトリガ部材と、引き戸に取り付けられ、引き戸が所定位置に開かれるまでトリガ部材と摺動可能に係合して回動を不能にし、係合部が係止部材に係合した状態を保持する回転防止面を有するトリガ回転防止部材と、を有する引き戸引き込み装置。【選択図】          図1
2009144363.tif 000002
【特許請求の範囲】
【請求項１】
枠体に開閉自在に取り付けられた引き戸を自動的に閉じるための引き戸引き込み装置であって、
該枠体に取り付けられた係止部材と、
引き戸の開閉方向で変位可能とされたスライド部材と、
該引き戸に取り付けられ、該スライド部材を該開閉方向で移動できるように支持するガイド部材と、
該引き戸に取り付けられたバネ力蓄勢装置であって、該スライド部材に係合し、該バネ力蓄勢装置が該スライド部材に対して引き戸の開き方向に相対的に変位することにより回転される回転部材を有し、該回転部材の回転によってバネ付勢力を蓄勢し、該スライド部材を該バネ力蓄勢装置に対して相対的に該引き戸の開き方向に付勢するバネ力蓄勢装置と、
該スライド部材に回転可能に取り付けられたトリガ部材であって、該引き戸が閉止位置にあるときに、該係止部材の該開閉方向における両側部に隣接して位置する一対の係合エレメントからなる係合部を有するトリガ部材と、
該引き戸に取り付けられたトリガ回転防止部材であって、該開閉方向に延び、該引き戸が所定位置に開かれるまで、該トリガ部材と摺動可能に係合して回動を不能にすることにより、該トリガ部材の該係合部が該係止部材に係合した状態を保持する回転防止面を有するトリガ回転防止部材と、
を有し、
該引き戸が該所定位置まで開かれると、該トリガ回転防止部材の回転防止面が該トリガ部材から外れて該トリガ部材を回動可能とし、該引き戸が該所定位置を越えて開かれることにより該係止部材と係合している該トリガ部材が所定の回動位置まで回動されて該係止部材との係合が解除され、該引き戸が更に開かれると、該スライド部材に該回転部材からの引き戸の開き方向への付勢力がかけられている状態で、該トリガ部材が該トリガ回転防止部材の端部に当接され、該スライド部材が引き戸とともに動かされるようになされ、引き戸が閉じる方向に動かされて該所定位置に近づくと該トリガ部材の一対の係合エレメントの間に該係止部材が受け入れられ、更に戻されると、該トリガ部材の係合部が該係止部材に係合されて該トリガ部材が回動されることにより、該トリガ部材が該回転防止面と係合されて該開閉方向での動きが止められ、これにより開閉方向での動きが止められたスライド部材上を、該バネ力蓄勢装置の該回転部材が該付勢力によって回転して、該引き戸を閉止位置に戻すようにした引き戸引き込み装置。
【請求項２】
枠体に開閉自在に取り付けられた引き戸を自動的に閉じるための引き戸引き込み装置であって、
引き戸に取り付けられた係止部材と、
引き戸の開閉方向で変位可能とされたスライド部材と、
該枠体に取り付けられ、該スライド部材を該開閉方向で移動できるように支持するガイド部材と、
該枠体に取り付けられたバネ力蓄勢装置であって、該スライド部材に係合し、該バネ力蓄勢装置が該スライド部材に対して引き戸の閉じ方向に相対的に変位することにより回転される回転部材を有し、該回転部材の回転によってバネ付勢力を蓄勢し、該スライド部材を該バネ力蓄勢装置に対して相対的に該引き戸の閉じ方向に付勢するバネ力蓄勢装置と、
該スライド部材に回転可能に取り付けられたトリガ部材であって、該引き戸が閉止位置にあるときに、該係止部材の該開閉方向における両側部に隣接して位置する一対の係合エレメントからなる係合部を有するトリガ部材と、
該枠体に取り付けられたトリガ回転防止部材であって、該開閉方向に延び、該引き戸が所定位置に開かれるまで、該トリガ部材と摺動可能に係合して回動を不能にすることにより、該トリガ部材の該係合部が該係止部材に係合した状態を保持する回転防止面を有するトリガ回転防止部材と、
を有し、
該引き戸が該所定位置まで開かれると、該トリガ回転防止部材の回転防止面が該トリガ部材から外れて該トリガ部材を回動可能とし、該引き戸が該所定位置を越えて開かれることにより該係止部材と係合している該トリガ部材が所定の回動位置まで回動されて該係止部材との係合が解除され、該引き戸が更に開かれると、該スライド部材に該回転部材からの引き戸の閉じ方向への付勢力がかけられている状態で、該トリガ部材が該トリガ回転防止部材の端部に当接され、該スライド部材が引き戸とともに動かされるようになされ、引き戸が閉じる方向に動かされて該所定位置に近づくと該トリガ部材の一対の係合エレメントの間に該係止部材が受け入れられ、更に戻されると、該トリガ部材の係合部が該係止部材に係合されて該トリガ部材が回動されることにより、該トリガ部材が該回転防止面と係合されて該開閉方向に移動可能となり、これにより開閉方向に移動可能とされたスライド部材上を、該バネ力蓄勢装置の該回転部材が該付勢力によって回転して、該引き戸を閉止位置に戻すようにした引き戸引き込み装置。
【請求項３】
該回転部材がピニオンとされ、該スライド部材が該ピニオンに係合されるラック部材とされている請求項１又は２に記載の引き戸引き込み装置。
【請求項４】
該トリガ回転防止部材が該開閉方向に延びる直線状部材とされ、該トリガ部材が該直線状部材に係合される溝を有する請求項１乃至３の何れかに記載の引き戸引き込み装置。
【発明の詳細な説明】
【技術分野】
【０００１】
本発明は、開放した引き戸を自動的に所定の閉鎖状態に閉じる引き戸引き込み装置に関する。
【背景技術】
【０００２】
引き戸を手動で開閉する際には、引き戸を完全な閉鎖状態にまで閉めようとしても、力が足りなかったり、逆に力が強すぎたりして、引き戸が完全に閉鎖状態とならずに若干開いた状態となることがあった。
【０００３】
このため、引き戸を閉じる際に所定の位置にまで引き込むと、自動的に完全な閉鎖位置に引き戸を引き込む引き戸引き込み装置が、種々提案されて用いられている。
【０００４】
しかし、従来の引き戸引き込み装置は、引き戸の開閉領域全域にワイヤーロープやラックを設ける必要があったため、装置が大型化するという問題があった（例えば、特開平１１−１５９２３７）。また、従来提案されている装置は、ワイヤーロープやラック等の部材を引き戸の内部に収容するものであるため、引き戸の扉製作時に取り付ける必要があり、引き戸を施工した後に簡易に取り付けることができる引き込み装置の開発が要望されていた。
【特許文献１】特開平１１−１５９２３７
【発明の開示】
【発明が解決しようとする課題】
【０００５】
したがって、本発明は、引き戸の閉扉側付近における閉め忘れ状態をなくすことができ、さらには既製の引き戸にその施工後においても取り付け可能で、装置を小型化することができる引き戸の引き込み装置を提供することを目的とする。
【課題を解決するための手段】
【０００６】
すなわち、本発明（以下、「第１発明」という場合にはこの発明を指す）は、
枠体（以下、実施形態において参照番号２を付して説明する）に開閉自在に取り付けられた引き戸（３）を自動的に閉じるための引き戸引き込み装置（１）であって、
該枠体（２）に取り付けられた係止部材（１０）と、
引き戸（３）の開閉方向で変位可能とされたスライド部材（２０）と、
該引き戸（３）に取り付けられ、該スライド部材（２０）を該開閉方向で移動できるように支持するガイド部材（３０）と、
該引き戸（３）に取り付けられたバネ力蓄勢装置（４０）であって、該スライド部材（３０）に係合し、該バネ力蓄勢装置（４０）が該スライド部材（２０）に対して引き戸（３）の開き方向に相対的に変位することにより回転される回転部材（４２）を有し、該回転部材（４２）の回転によってバネ付勢力を蓄勢し、該スライド部材（２０）を該バネ力蓄勢装置（４０）に対して相対的に該引き戸（３）の開き方向に付勢するバネ力蓄勢装置（４０）と、
該スライド部材（２０）に回転可能に取り付けられたトリガ部材（５０）であって、該引き戸（３）が閉止位置にあるときに、該係止部材（１０）の該開閉方向における両側部に隣接して位置するように延びる一対の係合エレメント（５２）からなる係合部（５３）を有するトリガ部材（５０）と、
該引き戸（３）に取り付けられたトリガ回転防止部材（３０−１）であって、該開閉方向に延び、該引き戸（３）が所定位置に開かれるまで、該トリガ部材（５０）と摺動可能に係合して回動を不能にすることにより、該トリガ部材（５０）の該係合部（５３）が該係止部材（１０）に係合した状態を保持する回転防止面（実施形態の説明において符号６１を付して表す）を有するトリガ回転防止部材（３０−１）と、
を有し、
該引き戸（３）が該所定位置まで開かれると、該トリガ回転防止部材（３０−１）の回転防止面（６１）が該トリガ部材（５０）から外れて該トリガ部材（５０）を回動可能とし、該引き戸（３）が該所定位置を越えて開かれることにより該係止部材（１０）と係合している該トリガ部材（５０）が所定の回動位置まで回動されて該係止部材（１０）との係合が解除され、該引き戸（３）が更に開かれると、該スライド部材（２０）に該回転部材からの引き戸（３）の開き方向への付勢力がかけられている状態で、該トリガ部材（５０）が該トリガ回転防止部材（３０−１）の端部（実施形態の説明において符号６２を付して表す）に当接され、該スライド部材（２０）が引き戸（３）とともに動かされるようになされ、引き戸（3）が閉じる方向に動かされて該所定位置に近づくと該トリガ部材（５０）の一対の係合エレメント（５２）の間に該係止部材（１０）が受け入れられ、更に戻されると、該トリガ部材（５０）の係合部（５３）が該係止部材（１０）に係合されて該トリガ部材（５０）が回動されることにより、該トリガ部材（５０）が該回転防止面（６１）と係合されて該開閉方向での動きが止められ、これにより開閉方向での動きが止められたスライド部材（２０）上を、該バネ力蓄勢装置（４０）の該回転部材（４２）が該付勢力によって回転して、該引き戸（３）を閉止位置に戻すようにした引き戸引き込み装置を提供するものである。
【０００７】
また、本発明（以下、「第２発明」という場合にはこの発明を指す）は、
枠体（２）に開閉自在に取り付けられた引き戸（３）を自動的に閉じるための引き戸引き込み装置（１）であって、
引き戸（３）に取り付けられた係止部材（１０）と、
引き戸（３）の開閉方向で変位可能とされたスライド部材（２０）と、
該枠体（２）に取り付けられ、該スライド部材（２０）を該開閉方向で移動できるように支持するガイド部材（３０）と、
該枠体（２）に取り付けられたバネ力蓄勢装置（４０）であって、該スライド部材（２０）に係合し、該バネ力蓄勢装置（４０）が該スライド部材（２０）に対して引き戸（３）の閉じ方向に相対的に変位することにより回転される回転部材（４２）を有し、該回転部材（４２）の回転によってバネ付勢力を蓄勢し、該スライド部材（２０）を該バネ力蓄勢装置（４０）に対して相対的に該引き戸（３）の閉じ方向に付勢するバネ力蓄勢装置（４０）と、
該スライド部材（２０）に回転可能に取り付けられたトリガ部材（５０）であって、該引き戸（３）が閉止位置にあるときに、該係止部材（１０）の該開閉方向における両側部に隣接して位置するように延びる一対の係合エレメント（５２）からなる係合部（５３）を有するトリガ部材（５０）と、
該枠体（２）に取り付けられたトリガ回転防止部材（３０−１）であって、該開閉方向に延び、該引き戸（３）が所定位置に開かれるまで、該トリガ部材（５０）と摺動可能に係合して回動を不能にすることにより、該トリガ部材（５０）の該係合部（５３）が該係止部材（１０）に係合した状態を保持する回転防止面（実施形態の説明において符号６１を付して表す）を有するトリガ回転防止部材（３０−１）と、
を有し、
該引き戸（３）が該所定位置まで開かれると、該トリガ回転防止部材（３０−１）の回転防止面（６１）が該トリガ部材（５０）から外れて該トリガ部材（５０）を回動可能とし、該引き戸（３）が該所定位置を越えて開かれることにより該係止部材（１０）と係合している該トリガ部材（５０）が所定の回動位置まで回動されて該係止部材（１０）との係合が解除され、該引き戸（３）が更に開かれると、該スライド部材（２０）に該回転部材（４２）からの引き戸（３）の閉じ方向への付勢力がかけられている状態で、該トリガ部材（５０）が該トリガ回転防止部材（３０−１）の端部（実施形態の説明において符号６３を付して表す）に当接され、該スライド部材（２０）が引き戸（３）とともに動かされるようになされ、引き戸（３）が閉じる方向に動かされて該所定位置に近づくと該トリガ部材（５０）の一対の係合エレメント（５２）の間に該係止部材（１０）が受け入れられ、更に戻されると、該トリガ部材（５０）の係合部（５３）が該係止部材（１０）に係合されて該トリガ部材（５０）が回動されることにより、該トリガ部材（５０）が該回転防止面（６１）と係合されて該開閉方向に移動可能となり、これにより開閉方向に移動可能とされたスライド部材（２０）上を、該バネ力蓄勢装置（４０）の該回転部材（４２）が該付勢力によって回転して、該引き戸（３）を閉止位置に戻すようにした引き戸引き込み装置を提供するものである。
【０００８】
このように構成されていることにより、引き戸を所定位置まで引き戻せば自動的に引き戸を閉止状態とするので、閉め忘れ状態となることがない。また、本発明の引き戸引き込み装置は引き戸の幅全体に亘ってワイヤーなどを設ける必要がないため、装置の小型化が可能である。さらに、引き戸の内部に設置する必要もないため引き戸を施工した後からでも設置することができる。
【０００９】
該回転部材（４２）がピニオンとされ、該スライド部材（２０）が該ピニオンに係合されるラック部材とされている。
【００１０】
該トリガ回転防止部材（３０−１）が該開閉方向に延びる直線状部材とされ、該トリガ部材（５０）が該直線状部材に係合される溝（５４）を有する。
【００１１】
これらのように構成することにより、より装置の小型化を図ることが可能である。
【発明を実施するための最良の形態】
【００１２】
以下、本発明に係る引き戸引き込み装置の実施形態を添付図面に基づき詳細に説明する。
【００１３】
まず、図１〜４に基づき、第１発明の引き戸引き込み装置の実施形態について説明する。
【００１４】
この引き戸引き込み装置１は、枠体２に取り付けられた係止部材１０と、引き戸３に取り付けられたガイド部材３０、該ガイド部材に摺動可能に取り付けられたスライド部材２０及びバネ力蓄勢装置４０を有する。
【００１５】
係止部材１０は、円柱形状であり、枠体２の幅方向ほぼ中央部分に、引き戸３側に向けて突出して設けられている。
【００１６】
ガイド部材３０は、長尺であり、引き戸３の上縁３ａ近くで該上縁に平行に設けられている。具体的には、後述するようにバネ力蓄勢装置４０を収納して引き戸に固着されるケーシング４に、ネジ５によって固定されている。該ガイド部材３０は、上部板部３０−１及び下部板部３０−２を有し、それらの間にスライド部材２０を摺動可能に支持する水平な支持溝３１が形成されている。
【００１７】
スライド部材２０は、ラック部材であり、図２に示すように横断面が矩形の上半部分２２がガイド部材３０の支持溝３１に引き戸の開閉方向で摺動可能に嵌合されており、該上半部分２２の下面に多数のラック歯２１が形成されている。
【００１８】
バネ力蓄勢装置４０は、ガイド部材３０の下方に設けられており、図２に示すように、ケーシング４に水平に取り付けられた軸４１と、軸４１に回転可能に取り付けられ、スライド部材２０のラック歯２１に噛合するピニオン（回転部材）４２と、ピニオン４２と同軸状に設けられピニオン４２の回転を制動するダンパー４３と、ピニオン４２と同軸状に巻かれたゼンマイバネ４４とを具備してなる。
【００１９】
さらに具体的には、軸４１はケーシング４に回転自在に取り付けられており、中央側バネ固定部４７ａを有するケースカバー４７が、軸４１と一体に回転できるように固定されている。ピニオン４２は、外方側バネ固定部４２ａが設けられ、バネを収容するバネケース部４２ｂを有し、軸４１の外周において軸４１に対して回転自在に取り付けられたパイプ４６に該パイプ４６と一体に回転するように固定されている。ゼンマイバネ４４の一端は中央側バネ固定部４７ａに固定されており、他端は外方側バネ固定部４２ａに固定されている。ケースカバー４７にはその中央部分に軸４１の周囲を囲んで六角形状の凸部４７ｂが設けられている。この凸部４７ｂの６角形の対辺を挟んで、ケーシング４の表面側（引き戸に接触せず露出する側）にＵ字状のバネ押さえ具４５が設置されており、これによりケースカバー４７全体を押さえてゼンマイバネ４４を押さえていると共にケースカバー４７の回転を抑制して軸４１が回転しないようにしている。そして必要に応じてバネ押さえ具４５を外してケースカバー４７を回転させることでゼンマイバネ４４の設定加重を適宜変更することができる。
【００２０】
ゼンマイバネ４４は、ピニオン４２がスライド部材２０に対して引き戸３の開き方向に相対的に変位して回転されることにより巻き締められてバネ付勢力を蓄勢する。これにより、スライド部材２０をバネ力蓄勢装置４０に対して相対的に該引き戸３の開き方向に付勢する。
【００２１】
本実施形態においてダンパー４３としては、オイルの粘性抵抗を用いたワンウェイクラッチ４８を有するダンパーを用いているが、かかるダンパーとしては、通常この種の装置に用いられるものを特に制限なく用いることができる。本実施形態においては、ダンパー４３を有することにより、急閉扉時の扉走行速度を安全な速度にまで減速させることができる。
【００２２】
スライド部材２０には、その長手方向中央にトリガ部材５０が回転可能に取り付けられている。トリガ部材５０がスライド部材２０の長手方向中央に取り付けられおり、扉が閉まったときスライド部材２０の右端のラック歯２１にピニオン４２が噛合し、トリガ部材５０の係合部５３が係止部材１０に係合していないときはスライド部材２０の左端のラック歯２１にピニオン４２が噛合する
【００２３】
トリガ部材５０は、スライド部材２０に取り付けられた回転軸５１に回転可能に取り付けられており、一対の係合エレメントとしてのアーム５２からなる係合部５３を有している。該アーム５２は、引き戸３が閉止位置にあるときに、係止部材１０の開閉方向における両側部に隣接して位置する。
【００２４】
トリガ部材５０は、トリガ回転防止部材としてのガイド部材３０の上部板部３０−１に摺動係合する溝５４を有する。該溝５４は、引き戸３が所定位置に開かれるまで、上部板部３０−１と係合して、上部板部３０−１における回転防止面６１の作用によりトリガ部材５０の回動を不能にする。溝５４は、その一端部５４ａがテーパー状にされている。
【００２５】
本実施形態の引き戸引き込み装置１は、以下のように作用する。すなわち、図１、３及び４に示すように、引き戸３を開けると、引き戸３に取り付けられたガイド部材３０及びバネ力蓄勢装置４０は、引き戸３と共に開き方向に移動する。この際、スライド部材２０は、溝５４がガイド部材の上部板部３０−１と係合しており、且つ、トリガ部材５０の係合部５３が係止部材１０に係合しているため移動しない。このためスライド部材２０のラック歯２１に係合しているピニオン４２が回転して、バネ力蓄勢装置４０に、スライド部材２０を引き戸３の開き方向に向け移動させるバネ力が蓄勢される。
【００２６】
さらに開放を進めて、引き戸３が所定位置まで開かれると、図３に示すように、ガイド部材３０の上部板部３０−１の右端がトリガ部材５０の溝５４から外れるようになり、トリガ部材５０が時計方向で回動可能となる。このとき、バネ力蓄勢装置４０には、スライド部材２０を引き戸３の開き方向に動かす力を蓄勢しており、従って、引き戸が更に開かれると、スライド部材２０はガイド部材３０とともに引き戸３の開き方向に変位されるため、係止部材１０と係合していたトリガ部材５０は時計方向に回動されて係止部材１０との係合が解除される。引き戸３が更に開かれると、図４に示すように、スライド部材２０にピニオン４２からの引き戸３の開き方向への付勢力がかけられている状態で、トリガ部材５０がガイド部材の上部板部３０−１の端部６２に係合して回動が止められる。すなわち、アーム５２は係止部材１０から開放された角度に維持される。
【００２７】
また、引き戸３が開けられた状態から閉じる方向に動かされて所定位置に近づくと、図３に示すように、トリガ部材５０の一対のアーム５２，５２の間に係止部材１０が受け入れられる。更に戻されると、トリガ部材５０の係合部５３が係止部材１０に係合されてトリガ部材５０が回動される。これにより、トリガ部材５０の外周部が、ガイド部材の上部板部３０−１の右端部６２から外れ、該右端部６２がトリガ部材５０の案内部５５によって溝５４に案内される。この状態では、トリガ部材５０は、ガイド部材３０に対して回動ができなくなり、従って、引き戸３の開閉方向において、係止部材１０により動きが停止される。そのため、バネ力蓄勢装置４０の付勢力により、停止されたラック部材としてのスライド部材２０上でピニオン４２が回転され、これにより、引き戸３は閉止位置に戻される。
【００２８】
次に、図５〜８に基づき、本発明（第１発明）の他の実施形態を説明する。なお、以下の説明においては、上述した実施形態と同じ部材などについては同じ番号を付して説明を省略し、異なる部分を中心に説明する。
【００２９】
本実施形態は、上記実施形態と、以下の点で異なる。
【００３０】
すなわち、本実施形態の引き戸引き込み装置１’は、ガイド部材３０に支持溝３１が設けられておらず、図６及び７に示すように、スライド部材２０及びトリガ部材５０全体を覆うようにしてスライド部材２０を支持する構成とされている点、及びダンパー４３がピニオン４２と係合する別体のピニオンの回転を制動するとされている点で、上述の実施形態と異なる。
【００３１】
本実施形態におけるガイド部材３０は、スライド部材２０のラック歯２１を覆っているので、ラック歯２１とピニオン４２とが係合する部分においてはラック歯２１を覆う部分のガイド部材３０は切欠されている。また、トリガ部材５０が回転できるように、ガイド部材における上部板部３０−１の端部６２に対応した位置には、凹部３２が設けられている。
【００３２】
次に、本発明（第2発明）の実施形態を説明する。なお、以下の説明においては、上述した第1発明の実施形態と同じ部材などについては同じ番号を付して説明を省略し、異なる部分を中心に説明する。
【００３３】
本実施形態の引き戸引き込み装置１０１は、係止部材１０が引き戸３に取り付けられていると共に、ガイド部材３０及びバネ力蓄勢装置４０が枠体２に取り付けられている点で、上述の第1発明の実施形態と異なる。これらの点以外の構成は同じである。
【００３４】
そして、本実施形態の引き戸引き込み装置１においては、作用が上述の第1発明の実施形態と異なる。
【００３５】
すなわち、引き戸３を開けると引き戸３と共に係止部材１０が移動する。係止部材１０はトリガ部材５０の係合部５３と係合しており、溝５４がトリガ回転防止部材としての上部板部３０−１と係合しているので、スライド部材２０は、トリガ部材５０と一体に引き戸３の開き方向に向けて移動する。なお、ここで「上部」「下部」とは、ピニオン側からラック側を見たときにピニオン側を「下部」、ラック側を「上部」としたものである。
【００３６】
そして、引き戸３が所定位置まで開けられると溝５４が上部板部３０−１の左端部６２に達して、トリガ部材５０が上部板部３０−１の端部６２から外れるようになり、トリガ部材５０が時計回りに回転する。このときバネ力蓄勢装置４０にはスライド部材２０を引き戸３の閉じ方向に動かす力が蓄勢されている。従って、引き戸が更に開かれると、係止部材１０とトリガ部材５０との係合状態が完全に解除されるとともに、スライド部材２０にピニオン４２からの引き戸３の開き方向への付勢力がかけられている状態で、トリガ部材５０が上部板部３０−１の端部６２に当接されて、トリガ部材５０の回動が止められる。さらに引き戸３を開けた場合には引き戸３の動きに伴って係止部材１０が単独で移動する。
【００３７】
引き戸３を閉鎖する際には、所定位置まで引き戸３を引き戻すと係止部材１０が係合部５３に係合する。所定位置からさらに引き戻すとトリガ部材５０が回転して、上部板部３０−１の左端部６２が案内部５５により溝５４に案内される。これにより、上部板部３０−１がトリガ部材５０の溝５４に係合し、トリガ部材５０が引き戸３の閉じ方向に移動可能となる。これにより、スライド部材２０が移動可能となり、ピニオン４２の付勢力によりスライド部材２０が引き戸３の閉じ方向に移動し、それに伴い係止部材１０が取り付けられた引き戸３が閉鎖位置に引き戻され、完全に閉鎖状態となる位置に引き戻される。
【００３８】
なお、本発明はこの実施形態に制限されるものではなく、本発明の趣旨を逸脱しない範囲で種々変更可能である。
【００３９】
たとえば、スライド部材と回転部材とを、ラック部材とピニオンとではなく、摩擦による係合が可能な部材等により構成することができる。また、ピニオンを引き戸と平行に設けた例で説明したが、ピニオンを引き戸に対して垂直な方向に向けて設置する態様とすることもできる。
【図面の簡単な説明】
【００４０】
【図１】図１は、本発明（第１発明）の引き戸引き込み装置の１実施形態を示す内部透視正面図である。
【図２】図２は、図１のＡ−Ａ線断面図である。
【図３】図３は、図１に示す状態から引き戸を所定位置まで開けた際の引き戸引き込み装置を示す内部透視正面図である。
【図４】図４は、図３の状態からさらに引き戸を開けた状態を示す内部透視正面図である。
【図５】図５は、本発明（第1発明）の他の実施形態を示す内部透視正面図である。
【図６】図６は、図５のＢ−Ｂ線断面図である。
【図７】図７は、図５のＣ−Ｃ線断面図である。
【図８】図８は、図５に示す状態から引き戸を所定位置まで開けた際の引き戸引き込み装置を示す内部透視正面図である。
【図９】図９は、本発明（第２発明）の引き戸引き込み装置の１実施形態を示す内部透視正面図である。
【符号の説明】
【００４１】
引き戸引き込み装置１：枠体２：係止部材１０：引き戸３：ケーシング４：ネジ５：ガイド部材３０：バネ力蓄勢装置４０：端縁３ａ：支持溝３１：スライド部材２０：ラック歯２１：嵌合凸部２２：軸４１：ピニオン４２：ダンパー４３：ゼンマイバネ４４：：外方側バネ固定部４２ａ：バネケース部４２b：バネ押さえ具４５：パイプ４６：ケースカバー４７：中央側バネ固定部４７ａ：トリガ部材５０：回転軸５１：アーム５２：係合部５３：上部板部３０−１：回転防止面６１：溝５４：案内部５５
【図１】
2009144363.tif 000003
【図２】
2009144363.tif 000004
【図３】
2009144363.tif 000005
【図４】
2009144363.tif 000006
【図５】
2009144363.tif 000007
【図６】
2009144363.tif 000008
【図７】
2009144363.tif 000009
【図８】
2009144363.tif 000010
【図９】
2009144363.tif 000011